(57)【要約】【課題】グリップ把持性能を向上させること。使用時に滑りにくく使いやすくすること。【解決手段】ヘッド部Ａを支持するグリップ部Ｂの側面Ｂ２から背面下半部Ｂ３ｂにかけてエラストマ製の滑り止め部８０を連続的に配設し且つこのエラストマ製の滑り止め部８０をグリップ部Ｂの正面上半部Ｂ１ａにも配設した電気かみそり１である。【選択図】　　　　図１
2004016813.tif 000002
【特許請求の範囲】
【請求項１】
ヘッド部を支持するグリップ部の側面から背面下半部にかけてエラストマ製の滑り止め部を連続的に配設し且つこのエラストマ製の滑り止め部をグリップ部の正面上半部にも配設したことを特徴とする電気かみそり。
【請求項２】
グリップ部の側面の滑り止め部を側面上半部まで延設したことを特徴とする請求項１記載の電気かみそり。
【請求項３】
グリップ部の背面上半部にも滑り止め部を配設したことを特徴とする請求項１記載の電気かみそり。
【請求項４】
グリップ部の背面上半部の滑り止め部は、トリマーの操作部を兼用することを特徴とする請求項３記載の電気かみそり。
【請求項５】
グリップ部の背面上半部の滑り止め部を正面上半部の滑り止め部とを略同一高さに配設したことを特徴とする請求項３記載の電気かみそり。
【請求項６】
グリップ部の側面の滑り止め部を正面下半部まで延設することにより、グリップ部を一周するように滑り止め部を連続的に配設したことを特徴とする請求項１記載の電気かみそり。
【発明の詳細な説明】
【０００１】
【発明の属する技術分野】
本発明は、使用時に滑りにくく使いやすいグリップ部を備えた電気かみそりに関するものである。
【０００２】
【従来の技術】
電気かみそりのグリップ部の把持方法には、図１０に示す「はさみ持ち」や、図１１に示す「つかみ持ち」がある。従来の電気かみそり１において、把持時のグリップ性（グリップ把持性能）を向上させるため、グリップ部にゴム層を形成するものが従来から知られている。（例えば、特許文献１、特許文献２参照）
また、本発明者は本発明に至る過程で電気かみそり１において、把持時のグリップ性（グリップ把持性能）を向上させるため、グリップ部Ｂにゴムのような滑り止め部８０を設置しているものとして、図８、図９に示すようなものを考えた。図８の例では、グリップ部Ｂの右側面Ｂ２、背面Ｂ３、及び正面Ｂ１から左側面Ｂ２’にかけてそれぞれ独立した滑り止め部８０が不連続に配設されており、図９の例では、グリップ部Ｂの正面上半部Ｂ１ａを除いた前後左右の各面Ｂ１ｂ，Ｂ２，Ｂ３に連続して滑り止め部８０が配設されている。
【０００３】
【特許文献１】
実開平１−１２８７６３号公報
【特許文献２】
特公昭５８−１０３４８８号公報
【０００４】
【発明が解決しようとする課題】
ところが、図８の例ではグリップ部Ｂの背面Ｂ３と両側面Ｂ２，Ｂ２’滑り止め部８０が不連続であり、しかも滑り止め部８０が配設されていない部位が多く存在するため、使用者の手の大きさや持ち方の差異によって、背面Ｂ３と両側面Ｂ２，Ｂ２’間の滑り止め部８０が設置されていない部位に接触圧がかかり、充分なグリップ性が得られない可能性がある。
【０００５】
また、図９の例ではグリップ部Ｂの正面上半部Ｂ１ａには滑り止め部８０が設置されていないため、電気かみそりを使用する場合、グリップ部Ｂの正面方向からの保持は親指しかなく、親指は正面上半部Ｂ１ａを保持するため、図９のような滑り止め部８０の配設にあっては正面保持部のグリップ性が充分得られない。
【０００６】
このように、従来では電気かみそり把持時のグリップ性が不充分で滑りやすいために、肌への押し付けの際押し付け力に負けて滑り、最適な押し付け力で剃れなかったり、肌に毛剃り刃（ヘッド部）が最適な角度で当たらなくなり、その結果、剃り残しが多く、剃り時間が長くなるという問題があった。
【０００７】
本発明はこのような点に鑑み為されたものであり、その目的とするところは、グリップ把持性能を向上させることにより、使用時に滑りにくく使いやすくした電気かみそりを提供することにある。
【０００８】
【課題を解決するための手段】
上記課題を解決するために本発明にあっては、ヘッド部Ａを支持するグリップ部Ｂの側面Ｂ２から背面下半部Ｂ３ｂにかけてエラストマ製の滑り止め部８０を連続的に配設し且つこのエラストマ製の滑り止め部８０をグリップ部Ｂの正面上半部Ｂ１ａにも配設したことを特徴としており、このように構成することで、手の大きさや、把持時の微妙な位置ズレに関係なく、中指・薬指・小指のいずれか１本以上における小丘・基節・中節・末節、及び小指丘・母指丘が確実に滑り止め部８０に接触するため、側面方向及び背面方向からの接触圧に対するグリップ性（グリップ把持性能）が向上すると共に、エラストマ製の滑り止め部８０をグリップ部Ｂの正面上半部Ｂ１ａにも配設することで、親指末節が滑り止め部８０に接触するため、正面Ｂ１からの接触圧に対するグリップ性も向上する。従って、使用者の手の大きさや持ち方に差異があっても、滑り止め部８０が設置されている部位に接触圧がかかり、充分な正面保持部のグリップ性が得られるようになる。
【０００９】
また上記グリップ部Ｂの側面Ｂ２の滑り止め部８０を側面上半部Ｂ２ａまで延設するのが好ましく、この場合、人差し指・中指・薬指・小指全ての末節が側面上半部Ｂ２ａまで延設された滑り止め部８０に接触するようになる。
【００１０】
また上記グリップ部Ｂの背面上半部Ｂ３ａにも滑り止め部８０を配設するのが好ましく、この場合、人差し指もしくは中指の基節・中節が背面上半部Ｂ３ａの滑り止め部８０にも接触するようになる。
【００１１】
また上記グリップ部Ｂの背面上半部Ｂ３ａの滑り止め部８０は、トリマーの操作部を兼用するのが好ましく、この場合、背面上半部Ｂ３ａに配設された滑り止め部８０がトリマーの操作部を兼ねることにより、グリップ性だけでなく、トリマー操作性も向上する。
【００１２】
また上記グリップ部Ｂの背面上半部Ｂ３ａの滑り止め部８０を正面上半部Ｂ１ａの滑り止め部８０とを略同一高さに配設するのが好ましく、この場合、正面上半部Ｂ１ａの滑り止め部８０に親指末節が接触し、背面上半部Ｂ３ａの滑り止め部８０に人差し指の基節・中節が接触することにより、把持時のグリップ性がさらに向上すると共に、トリマー操作時も滑りにくく操作しやすい構造となる。
【００１３】
また上記グリップ部Ｂの側面Ｂ２の滑り止め部８０を正面下半部Ｂ１ｂまで延設することにより、グリップ部Ｂを一周するように滑り止め部８０を連続的に配設するのが好ましく、この場合、正面Ｂ１と背面Ｂ３とを逆向きに把持して使用する場合においても、小指もしくは薬指が滑り止め部８０に接触するため、充分なグリップ性が得られるようになる。
【００１４】
【発明の実施の形態】
以下、本発明を添付図面に示す実施形態に基づいて説明する。
【００１５】
本実施形態の電気かみそり１は、図１に示すように、大きく分けて刃ヘッドブロック２と、グリップブロック３とにより構成されており、グリップブロック３内の上端付近に刃ヘッドブロック２を支持する部材が配設されている。ここでは、図６に示すように、刃ヘッドブロック２とグリップブロック３との間に刃ヘッド支持ブロック４が配設されている。
【００１６】
先ず、刃ヘッドブロック２の構成について、図３〜図５に基づいて詳述する。
【００１７】
刃ヘッドブロック２は、大きく分けてリニアモータ５を収納したヘッドケースブロック６と、内刃７と、外刃ブロック８とにより構成されており、リニアモータ５の左右方向Ｆ（図１）の振動がその先端の駆動子９によって内刃７に伝えられて、内刃７と外刃１０が互いに摺動することにより、外刃１０の刃穴に入った髭をカットするものである。図５に示すように、リニアモータ５はその下部において、モータ基台１１と一体的に結合した状態でヘッドケース１２内に上側から挿入され、下側からヘッド下ネジ１３にて固定されている。
【００１８】
上記ヘッドケース１２は、図５に示すように、上からヘッドケースカバー１４、駆動子防水ゴム１５、ゴム押え板１６を介してヘッド上ネジ１７で固定されている。ヘッドケース１２をネジ固定することにより、ヘッドケースブロック６はリニアモータ５を内蔵した１つの箱体として構成されている。また、ヘッドケースカバー１４の下面には、防水用のゴム（図示せず）が設けられており、これによってヘッドケースブロック６は防水されたケースとして構成されている。リニアモータ５の下側から延びているリード線１８は、図３に示すように、リニアモータ５を駆動させるためにその先端部がグリップブロック３内の駆動回路に結合されるものであり、ヘッドケース１２下部に設けた穴（図示せず）を通って防水性のあるゴムチューブ２０を挿通した後に、後述する前ハウジング２１の上面に設けられた穴２２（図７）を通って、前後ハウジング２１，２２内の回路１９（図３）に結線される。ゴムチューブ２０の上端は、ヘッドケース１２底面に設けた筒穴（図示せず）に圧入した後に後述のヘッド止め部材２３の係止穴２３ａ（図５）によりその外側から係止され、ゴムチューブ２０の下端は後ハウジング２４上面のリード線用筒穴に圧入された後に、後述するクリック部材２５の係止穴２５ｂ（図７）に挿入されて係止されるようになっている。すなわち、ヘッド部Ａとグリップ部Ｂの箱状空間１１０との間を防水構造とし、さらに上記弾性チューブ２０でヘッド部Ａとグリップ部Ｂと結合し、弾性チューブ２０内にリード線１８を通して、防水状態でヘッド部Ａにグリップ部Ｂからの電力が供給されるようにしたので、大きな相対移動が可能な状態で防水が可能となり、掃除性も向上するものである。
【００１９】
上記ヘッドケース１２は、図５に示すように、その底面中央付近のみを下側に突出させた突出部１２ａとなっている。突出部１２ａにヘッド部Ａを支持する軸を形成し、その両外側の下面位置を上側に上げることにより、よりヘッド部Ａの左右傾きを大きくすることができ、肌への追従性も向上させることができるものである。しかもヘッドケース１２の下側への突出部１２ａのみを前後壁２１ａ，２４ａで覆い、その両外側に前後方向Ｅに貫通した隙間が設けられているため、剃り時にヘッド部Ａの動きを確認しやすく、ヘッド部Ａを左右に大きく回転させること示できると共に、髭が溜まりにくい構造となる。また、前後壁２１ａ，２４ａの幅寸法Ｌ１（図２）はグリップ部Ｂの左右方向Ｆの幅寸法Ｌ２（図２）よりも小さくなっている。これにより通常の手によるグリップ状態において、指がヘッド下側の可動範囲に入る可能性が大きく低減し、指がヘッド部Ａに当たってヘッド部Ａの動きに対しての妨げとなることなく、グリップ性を確保できる構造となっている。
【００２０】
ここで、上記ヘッド部Ａを前後方向Ｅに保持する機構と前後方向Ｅのガタツキを防止する機構とを説明する。前壁２１ａにはヘッド部Ａを前後方向Ｅに保持する機構が設けられている。図５に示す例ではヘッド止め部材２３の前後一対の係止突起２７がヘッドケース１２の前後両面の各凸部２６に係止することで、ヘッド止め部材２３はヘッドケースブロック６に取り付けられる。さらにヘッド止め部材２３の前側の上端部には左右に突出する突片２８，２８が設けられ、この突片２８，２８が前ハウジング２１の前壁２１ａに設けた開口２９に引掛けられることで、ヘッド止め部材２３の突片２８が前壁２１ａに係止され、これにより、ヘッドケースブロック６は前ハウジング２１に対して前後方向Ｅ（図１）に動かないように保持される。従って、前ハウジング２１の前壁２１ａと後ハウジング２４の後壁２４ａとの間のピッチがばらついても、常にヘッドケースブロック６を前ハウジング２１の前壁２１ａで保持して、前後方向Ｅのガタツキを防止できるようになる。さらに、ヘッド止め部材２３の背面下部から下側に延出するように突起部９０（図７）が形成され、この突起部９０が後壁２４の内面に摺接しており、これによりヘッドケースブロック６のの前後方向Ｅの傾きを防止している。つまり、突起部９０が後ハウジング２４の後壁２４ａ内面に摺接することで、ヘッドケースブロック６は前後方向Ｅに傾かない状態で上下方向のみにガイドされるようになることで、剃り時にヘッド部Ａに対して前後方向Ｅの力が加わっても、ヘッド部Ａが前後方向Ｅに傾かず、従来のようにヘッド部Ａが前後に傾いて剃りにくくなるのを防ぐことができるものである。
【００２１】
また上記ヘッドケース１２の長手方向両端面には、図５に示すように、刃着脱釦３０が配設されている。各刃着脱釦３０は、ヘッドケース１２に内包した刃着脱釦バネ３１により外側に付勢された状態で取り付けられている。
【００２２】
次に内刃７を説明する。上記リニアモータ５の駆動子９は、図５に示すヘッドケース１２の上面中央部の穴から上方に突出しており、この駆動子９に対して前後方向からスリット駆動桿３２、トリマー駆動桿３３が取り付けられている。駆動子９の中には内刃押上バネ３４がバネストッパー３５により保持されており、その上から内刃７が結合することにより、内刃７が上方に付勢された状態となっている。
【００２３】
次に外刃ブロック８を説明する。図４に示すように、３つの刃が前後方向Ｅに外刃１０（ネット刃）、スリット刃３６、外刃１０（ネット刃）の順で配設されており、それらはスリットフロートバネ３７によってそれぞれが独立にフロート可能となるように、枠形状の保持枠３８により保持されている。外刃１０は外刃枠３９により固定され、外刃枠３９は刃カバー部材４０により、保持枠３８に結合している。保持枠３８の左右方向Ｆ両端に設けられた係合穴４１に対して刃着脱釦３０上部の係合突起４２（図５）が係合することにより、外刃ブロック８はヘッドケース１２に対して着脱自在に保持されるものである。
【００２４】
次に刃ヘッド支持ブロック４の構成について、図３、図５、図６に基づいて詳述する。ヘッド支持部材４３は、図５に示すように、略コの字型に形成されており、その上先端部には穴部４４が設けられている。一方、ヘッドケース１２の前後壁には、それぞれ２箇所、計４箇所の前後方向Ｅに突出する支持突起４５が設けられている。前後の支持突起４５はそれぞれ、正面から見て同軸上となる位置に形成されている。
【００２５】
ここで、上記ヘッド支持部材４３は左右に２つ配設されており、それぞれの上部の穴部４４がヘッドケース１２の支持突起４５に対して回転自在に、且つヘッドケース１２を下側から前後に挟み込む状態で係合している。また、各ヘッド支持部材４３は、図３に示すように、前後の各ハウジング２１，２４の前後壁２１ａ，２４ａに形成された左右一対の縦溝状のガイド溝４６，４７にそれぞれ嵌め込まれることにより、ヘッド支持部材４３は前後壁２１ａ，２４ａに挟まれた状態で上下動自在に保持されている。
【００２６】
ここで、上記ヘッド支持部材４３が左右に２つ設けたことによる機能は以下のように説明できる。肌面と異なる角度にヘッド部Ａが押し当てられた場合、ヘッド部Ａの両端部が肌に当たり、ヘッド部Ａを下に下げようとする力が発生する。このとき、ヘッド部Ａの回転の支点は、肌が当たった側と反対側のヘッド支持部材４３が軸となるために、力点との距離が大きくなり、ヘッド部Ａを回転させるための力が大きくなる。よって肌に対して沿う状態まで、ヘッド部Ａが軽い力で回転するために、肌と刃が密着して、より剃り残しのない電気かみそり１を提供できるものである。
【００２７】
さらに本例では、前壁２１ａ側のガイド溝４６の上端側にエラストマ製の弾性部材１００（図７）が配置されている。弾性部材１００はガイド溝４６の上端に設けられており、ガイド溝４６に沿ってヘッド支持部材４３が移動する際に、フロートしたヘッド支持部材４３が復帰するときの衝撃を弾性部材１００によって緩和して、手への衝撃や音を低減する働きをする。
【００２８】
次に上記ヘッド支持部材４３を付勢するバネブロック５０を説明する。バネブロック５０は、図３、図７に示すように、各ヘッド支持部材４３に対応して、左右に２つ設けられており、１つのバネブロック５０にはコイルバネ５１と板バネ５２が上下のバネ受け部材５３により保持されている。コイルバネ５１は上下の各バネ受け部材５３に設けられた突起（図示せず）で保持されている。板バネ５２は略Ｕ字型に形成されており、その一片が上側のバネ受け部材５３の突起を溶着することにより固定される。下側のバネ受け部材５３には、コイルバネ５１を挟む位置に２か所の突出部（図示せず）を有しており、その先端フックが上側のバネ受け部材５３に設けた穴（図示せず）と係合することにより、バネブロック５０を形成する。バネブロック５０の上側のバネ受け部材５３がヘッド支持部材４３の下面に当たり、下側のバネ受け部材５３が前後のハウジング２１，２４の箱状空間１１０の底面に当ることで、ヘッド支持部材４３はバネブロック５０によって下から支持される。これらの構成により、ヘッドケースブロック６の大きな相対移動が可能な状態で防水が可能となり、掃除性が向上するものとなる。また、上記のようにヘッド部Ａとグリップ部Ｂの箱状空間１１０の上面側の間に付勢要素を構成するヘッド支持部材４３とバネブロック５０とを設けたことで、付勢要素がグリップ部Ｂの太さに影響を与えないため、非常に持ちやすい細身のグリップ部Ｂを形成できると共に、ヘッド部Ａの下面の厚み方向全体に亘ってヘッド部Ａを支持することができ、ヘッド部Ａの動作が安定する。しかも、ヘッド部Ａに回転自在に結合されたヘッド支持部材４３をハウジングの前後壁２１ａ，２４ａの内側に形成されたガイド溝４６，４７で上下動自在に保持し、ヘッド支持部材４３をバネブロック５０にてバネ付勢したことによって、ヘッド部Ａの回転と上下動を行なうことができる構造となる。
【００２９】
次に上記バネブロック５０のバネ力を調整する機構を説明する。後ハウジング２４の片側の側面上部には、図３に示すように、扇形の平面部６３と穴６２とが形成されており、上記穴６２にレバー軸６４が挿通される。レバー軸６４の先端部に設けた突起６５に、レバー操作子６６が回転自在に結合しており、レバー操作子６６は後ハウジング２４の上記平面部６３に配設される。レバー軸６４は上記バネブロック５０の内側に挿入されて、レバー操作子６６を動かすことにより、レバー軸６４が回転し、レバー軸６４に設けた突部６７の先端高さが変化することで、バネブロック５０全体が上下に伸縮して、バネ受け部材５３の下面や板バネ５２を受ける高さを変化させることができ、これにより、フロート量やフロート力の調整を行えるようになっている。さらに、上記レバー軸６４の中央付近には先端に球形状を有する突起６８が形成されており、この突起６８がレバー軸６４に装着されているクリック部材２５の溝２５ａと係合することにより、クリック感を得ながらレバー軸６４の回転位置を位置決めできるようになっている。
【００３０】
次にグリップブロック３について、図１、図２、図３、図６に基づいて詳述する。グリップブロック３は前後に分割したハウジング２１，２４を中心に構成されており、前後のハウジング２１，２４はその間にゴムのＯリング５５（図３、図７）を挟んで結合されることにより、その内側に防水可能な箱状空間１１０を形成すると共に、箱状空間１１０の前後上端から上方に向かって前後壁２１ａ，２４ａがそれぞれ延出しており、これら前後壁２１ａ，２４ａの各内面がヘッド保持部となっている。ハウジング２１，２４内に形成された箱状空間１１０には、図３に示すように、電池５６、回路１９、それらを保持するための基台５６ａ等が配設される。前後のハウジング２１，２４はその背面部からハウジング固定ネジ５７により固定される。図３中の５８はネジ蓋である。
【００３１】
上記前ハウジング２１の前面には、スイッチ５９を挟み込んだ状態で、前ハウジシグ２１前面に設けたフックにより前面パネル６０が結合している。なお後ハウジング２４の背面には後面パネル６１が結合している。
【００３２】
また、トリマーブロック７０は、図２、図３、図７に示すように、後面パネル６１側に上下方向にスライド自在に取り付けられており、そのスライド上部位置において、トリマー駆動子７１（図３）が刃ヘッドブロック２に設けられたトリマー駆動桿３３（図５）と結合し、駆動される。
【００３３】
次に、上記グリップ部Ｂの滑り止め構造について説明する。本例では、図１、図２に示すように、グリップ部Ｂの側面Ｂ２から背面下半部Ｂ３ｂにかけて、エラストマのような摩擦係数の大きい弾性部材からなる滑り止め部８０が連続的に配設され且つこの滑り止め部８０はグリップ部Ｂの正面上半部Ｂ１ａにも配設されている。さらに、側面Ｂ２の滑り止め部８０を側面上半部Ｂ２ａまで延設している。グリップ部Ｂの背面上半部Ｂ３ａにも滑り止め部８０を配設している。この背面上半部Ｂ３ａに配設された滑り止め部８０は、トリマーの操作部を兼用している。ここで、グリップ部Ｂの正面上半部Ｂ１ａの滑り止め部８０と背面上半部Ｂ３ａの滑り止め部８０とを略同一高さに配設しており、正面Ｂ１からの親指の保持力と、背面Ｂ３からの人差し指・中指の保持力がつりあうようにしている。さらに、グリップ部Ｂの側面Ｂ２の滑り止め部８０を正面下半部Ｂ１ｂまで延設することにより、グリップ部Ｂを一周するように滑り止め部８０を連続的に配設してある。本例においては、図１、図２のドット部分で示すように、前ハウジング２１には両側面Ｂ２から正面Ｂ１下端部にかけて滑り止め部８０を一体成形し、後ハウジング２４には両側面Ｂ２から背面下半部Ｂ３ｂにかけてエラストマ製の滑り止め部８０を一体成形している。前後ハウジング２１，２４を組み合わせることにより、グリップ部Ｂの側面Ｂ２から背面下半部Ｂ３ｂ、及び側面Ｂ２から正面Ｂ１下端部にかけて、グリップ部Ｂを一周するように滑り止め部８０が連続的に配設されるようになっている。
【００３４】
しかして、グリップ部Ｂの側面Ｂ２から背面下半部Ｂ３ｂにかけてエラストマ（摩擦係数が大きい弾性部材）からなる滑り止め部８０を連続的に配設することにより、図１０に示す「はさみ持ち」や、図１１に示す「つかみ持ち」の場合のいずれでも、手の大きさや、把持時の微妙な位置ズレに関係なく、中指・薬指・小指のいずれか１本以上における小丘・基節・中節・末節、及び小指丘・母指丘が確実に滑り止め部８０に接触するため、側面方向及び背面方向からの接触圧に対するグリップ性（グリップ把持性能）が向上する。さらにグリップ部Ｂの正面上半部Ｂ１ａにもエラストマ製の滑り止め部８０を配設することにより、親指末節が滑り止め部８０に接触するため、正面Ｂ１からの接触圧に対するグリップ性が向上する。
【００３５】
さらに、側面Ｂ２の滑り止め部８０を側面上半部Ｂ２ａまで延設しているので、人差し指・中指・薬指・小指全ての末節がこの滑り止め部８０に接触するようになり、さらに、グリップ部Ｂの背面上半部Ｂ３ａにも滑り止め部８０を配設しているので、人差し指もしくは中指の基節・中節がこの滑り止め部８０に接触するようになる。
【００３６】
従って、使用者の手の大きさや持ち方に差異があっても、滑り止め部８０が設置されている部位に接触圧がかかり、充分な正面保持部のグリップ性が得られるようになる。この結果、電気かみそり把持時において「はさみ持ち」や「つかみ持ち」のような把持状態におけるグリップ性を向上させることができる結果、使用時に滑りにくく使いやすいグリップ部Ｂを備えることとなり、従来のような肌への押し付けの際に押し付け力に負けて滑ったり、最適な押し付け力で剃れなかったり、肌に毛剃り刃（ヘッド部Ａ）が最適な角度で当たらなくなるという問題がなくなり、剃り残しをなくして剃り時間を短くできるという利点がある。
【００３７】
また本例では、グリップ部Ｂの背面上半部Ｂ３ａに配設された滑り止め部８０は、トリマーの操作部を兼ねているので、グリップ性だけでなく、トリマー操作性も向上する。また前面パネル６０の前面上部には、把持時に親指が置かれる位置に、正面Ｂ１の滑り止め部８０が配設されていると共に、トリマーブロック７０には、正面Ｂ１の滑り止め部８０と略同一高さに背面Ｂ３の滑り止め部８０が配設されている。これにより、正面Ｂ１からの親指の保持力と、背面Ｂ３からの人差し指・中指の保持力がつりあうため、五指すべてで把持する必要はなくなり、親指・人差し指・中指のみでもグリップ性が安定する。また、前面パネル６０の正面Ｂ１の滑り止め部８０により親指末節が、トリマーの背面Ｂ３の滑り止め部８０により人差し指の基節・中節がそれぞれ滑り止め部８０に接触する。そのうえグリップ部Ｂの側面Ｂ２の滑り止め部８０を正面下半部Ｂ１ｂまで延設することにより、グリップ部Ｂを一周するように滑り止め部８０を連続的に配設したので、正面Ｂ１と背面Ｂ３を逆向きに把持して使用する場合においても、小指もしくは薬指が滑り止め部８０に接触するため、充分なグリップ性が得られる。この結果、把持時のグリップ性が向上し、使用時に一層滑りにくく使いやすい構成となる。
【００３８】
なお前記実施形態では、滑り止め部８０をグリップ部Ｂを一周するように連続的に配設したが、必ずしもこれには限定されず、少なくとも側面Ｂ２から背面下半部Ｂ３ｂにかけて連続的に、且つ正面上半部Ｂ１ａにも配設されていればよいものである。
【００３９】
【発明の効果】
上述のように請求項１記載の発明にあっては、ヘッド部を支持するグリップ部の側面から背面下半部にかけてエラストマ製の滑り止め部を連続的に配設し且つこのエラストマ製の滑り止め部をグリップ部の正面上半部にも配設したことを特徴としており、このように構成することで、手の大きさや、把持時の微妙な位置ズレに関係なく、中指・薬指・小指のいずれか１本以上における小丘・基節・中節・末節、及び小指丘・母指丘が確実に滑り止め部に接触するため、側面方向及び背面方向からの接触圧に対するグリップ性（グリップ把持性能）が向上すると共に、エラストマ製の滑り止め部をグリップ部の正面上半部にも配設することで、親指末節が滑り止め部に接触するため、正面からの接触圧に対するグリップ性も向上する。従って、使用者の手の大きさや持ち方に差異があっても、滑り止め部が設置されている部位に接触圧がかかり、充分な正面保持部のグリップ性が得られるようになる。この結果、電気かみそり把持時において「はさみ持ち」や「つかみ持ち」のような把持状態におけるグリップ性を向上させることができる結果、使用時に滑りにくく使いやすいグリップ部を備えることとなり、従来のような肌への押し付けの際に押し付け力に負けて滑ったり、最適な押し付け力で剃れなかったり、肌に毛剃り刃（ヘッド部）が最適な角度で当たらなくなるという問題がなくなり、剃り残しをなくして剃り時間を短くできるという効果がある。
【００４０】
また請求項２記載の発明にあっては、請求項１記載の効果に加えて、グリップ部の側面の滑り止め部を側面上半部まで延設するので、人差し指・中指・薬指・小指全ての末節が側面上半部まで延設された滑り止め部に接触するようになる。
【００４１】
また請求項３記載の発明にあっては、請求項１記載の効果に加えて、グリップ部の背面上半部にも滑り止め部を配設するので、人差し指もしくは中指の基節・中節が背面上半部の滑り止め部にも接触するようになり、グリップ性がさらに向上する。
【００４２】
また請求項４記載の発明にあっては、請求項３記載の効果に加えて、グリップ部の背面上半部の滑り止め部は、トリマーの操作部を兼用するので、背面上半部に配設された滑り止め部がトリマーの操作部を兼ねることにより、グリップ性だけでなく、トリマー操作性も向上する。
【００４３】
また請求項５記載の発明にあっては、請求項３記載の効果に加えて、グリップ部の背面上半部の滑り止め部を正面上半部の滑り止め部とを略同一高さに配設するので、正面上半部の滑り止め部に親指末節が、背面上半部の滑り止め部に人差し指の基節・中節が接触することにより、把持時のグリップ性がさらに向上すると共に、トリマー操作時も滑りにくく操作しやすい構造となる。
【００４４】
また請求項６記載の発明にあっては、請求項１記載の効果に加えて、グリップ部の側面の滑り止め部を正面下半部まで延設することにより、グリップ部を一周するように滑り止め部を連続的に配設するので、正面と背面とを逆向きに把持して使用する場合においても、小指もしくは薬指が滑り止め部に接触するため、充分なグリップ性が得られるものである。
【図面の簡単な説明】
【図１】本発明の実施形態の一例を示す全体斜視図である。
【図２】（ａ）は同上の正面図、（ｂ）は同上の側面図、（ｃ）は同上の背面図である。
【図３】同上の全体の分解斜視図である。
【図４】同上の外刃ブロックの分解斜視図である。
【図５】同上のヘッドケースブロックの分解斜視図である。
【図６】同上の後ハウジングを外した状態の背面図である。
【図７】同上の全体の分解斜視図である。
【図８】（ａ）〜（ｃ）は従来例の正面図、側面図、背面図である。
【図９】（ａ）〜（ｃ）は他の従来例の正面図、側面図、背面図である。
【図１０】電気かみそり把持状態（はさみ持ち）を示す図である。
【図１１】電気かみそり把持状態（つかみ持ち）を示す図である。
【図１２】手の部位の説明図である。
【符号の説明】
１　電気かみそり
２　刃ヘッドブロック
８０　滑り止め部
Ｂ　グリップ部
Ｂ１　正面
Ｂ１ａ　正面上半部
Ｂ１ｂ　正面下半部
Ｂ２　側面
Ｂ２ａ　側面上半部
Ｂ３　背面
Ｂ３ａ　背面上半部
Ｂ３ｂ　背面下半部
【図１】
2004016813.tif 000003
【図２】
2004016813.tif 000004
【図３】
2004016813.tif 000005
【図４】
2004016813.tif 000006
【図５】
2004016813.tif 000007
【図６】
2004016813.tif 000008
【図７】
2004016813.tif 000009
【図８】
2004016813.tif 000010
【図９】
2004016813.tif 000011
【図１０】
2004016813.tif 000012
【図１１】
2004016813.tif 000013
【図１２】
2004016813.tif 000014